(57)【特許請求の範囲】
【請求項１】
第一シートと第二シートとの二枚のシートを剥離困難に貼り合わせてなるシート本体とこのシート本体の第二シートに剥離可能にして貼り合わされた第三シートとからなり、前記シート本体と第三シートとが一辺で連続して第二シートと第三シートとの間が見開き可能に設けられ、第二シートと第三シートとの重ね合わせ対向面に隠蔽情報が設けられている隠蔽情報所持体であって、
上記第二シートにおいて見開き中心に交叉する二辺それぞれに切断部を介して補強紙片が連接され、該補強紙片が第一シートに対して剥離可能に貼り合わされているとともに第三シートに対して剥離困難に貼り合わされていることを特徴とする隠蔽情報所持体。
【発明の詳細な説明】
【０００１】
【発明の属する技術分野】
本発明は重ね合わせ対向面に隠蔽情報を所持する重ね合わせ葉書などの隠蔽情報所持体に関するものである。
【０００２】
【発明が解決しようとする課題】
従来、重ね合わせ葉書などのように三つ折りシートからなる一面見開き形式の隠蔽情報所持体にあっては、Ｚ折りにより重なる三面のシートの内、二面のシートを剥離困難に貼り合わせてシート本体とし、さらに残り一面のシートを前記シート本体に剥離可能に貼り合わせているものがあり、シート本体と剥離可能に貼り合わされる一面のシートとの重ね合わせ対向面に隠蔽情報を設けて、その隠蔽情報が重ね合わせ状態時には隠蔽され、見開きをすることで隠蔽情報を見ることができるようにしたものであった。
しかしながら、上記隠蔽情報所持体では見開き操作した時にめくり上げたシートに曲がり癖が付き、展開状態では前記シートがカールしていて隠蔽情報を読むには取り扱い難い状態になるという不都合があった。
そこで、本発明は上記事情に鑑み、捲り上げるシートにカールを生じさせないようにすることを課題とし、見開いて隠蔽情報を読む時の取り扱いが煩雑にならないようにすることを目的とする。
【０００３】
【課題を解決するための手段】
本発明は上記課題を考慮してなされたもので、第一シートと第二シートとの二枚のシートを剥離困難に貼り合わせてなるシート本体とこのシート本体の第二シートに剥離可能にして貼り合わされた第三シートとからなり、前記シート本体と第三シートとが一辺で連続して第二シートと第三シートとの間が見開き可能に設けられ、第二シートと第三シートとの重ね合わせ対向面に隠蔽情報が設けられている隠蔽情報所持体であって、上記第二シートにおいて見開き中心に交叉する二辺それぞれに切断部を介して補強紙片が連接され、該補強紙片が第一シートに対して剥離可能に貼り合わされているとともに第三シートに対して剥離困難に貼り合わされていることを特徴とする隠蔽情報所持体を提供して、上記課題を解消するものである。
【０００４】
【発明の実施の形態】
つぎに本発明を図１から図４に示す実施の形態に基づいて詳細に説明する。
図中１は隠蔽情報所持体で、該隠蔽情報所持体１は、図１に示されているように、第一シート２と第二シート３と第三シート４との三枚のシートが折り用ミシン目よりなる折り部５を介して連接された横長の三つ折りシート６をＺ状に折り畳んでなるものであり、Ｚ状に折り畳んで相対する第一シート２と第二シート３とが剥離困難に貼り合わされてシート本体７を形成し、このシート本体７の片面を構成する前記第二シート３に折り部５を介して連接する第三シート４が剥離可能にして貼り合わされているものである。
上記シート本体７の構成は図２に示されているように、第一シート２と第三シート３とが剥離困難に接着する強接着手段８を介して貼り合わせたものであり、図４に示されているように、三つ折りシート６を形成した時点において第一シート２と第二シート３との重ね合わせ対向面９それぞれに前記強接着手段８が予め設けられている。また、第三シート４が剥離可能に貼り合わされた構成は第二シート３と第三シート４とを剥離可能に接着する弱接着手段１０を介して貼り合わせたものであり、図４に示されているように、三つ折りシート６を形成した時点において第２シート３と第三シート４との重ね合わせ対向面９それぞれに前記弱接着手段１０が予め設けられている。そして、剥離可能に貼り合わされてる第２シート３と第三シート４との重ね合わせ対向面９には隠蔽情報１１が設けれており、三つ折りシート６がＺ状に折り合わされている状態ではその隠蔽情報１１が隠蔽され、第三シート４を捲り上げるように第二シート３と第三シート４との間を見開くことで隠蔽情報１１を目視できるようにしている。
【０００５】
この隠蔽情報所持体１では、シート本体７において見開きする上記第三シート４に相対する第二シート３には見開き中心に交叉する二辺、即ち、第三シート４と第二シート３との間にある折り部５に交叉する上辺と下辺とのそれぞれに切断部１２を介して補強紙片１３を連接していて、上辺側の補強紙片１３は第一シート２と第三シート４とのそれぞれの上辺部分に相対し、下辺側の補強紙片１３は第一シート２と第三シート４とのそれぞれの下辺部分に相対している。
上記切断部１２は切り取り用ミシン目などからなるものであり、第一シート２と第二シート３の間の折り部５にかかる端部はその折り部５に沿って第二シート３の端縁まで達しており、この切断部１２によって前記補強紙片１３は第二シート３に分離可能にして区画成形され、第二シート３の幅方向に亘る帯状に形成されている。そして、この補強紙片１３それぞれは第一シート２に対して弱接着手段１０を介して剥離可能にして貼り合わされているものであり、三つ折りシート６を形成した時点で第一シート２とこの補強紙片１３との相対する重ね合わせ対向面９それぞれに前記弱接着手段１０が設けられている。さらに、上記補強紙片１３それぞれは第三シート４に対して強接着手段８を介して剥離困難にして貼り合わされているものであり、三つ折りシート６を形成した時点で第三シート４とこの補強紙片１３との相対する重ね合わせ対向面９それぞれに前記強接着手段８が設けられている。
このように、上記補強紙片１３が第一シート２に対して剥離可能に貼り合わされ、第三シート４に対して剥離困難にして貼り合わされていて、その補強紙片１３が第三シート４の上辺と下辺とに相対していることから、前記第三シート４とシート本体７との間を見開くときには、補強紙片１３それぞれがシート本体７から離れて第三シート４と一体となってこの第三シート４を補強するようになり、第三シート４にカールを生じさせないようになる。これによって、第三シート４の重ね合わせ対向面９が平坦なものとなって展開状態とした隠蔽情報所持体１の取り扱いが容易になり、隠蔽情報１１も目視し易くなる。
【０００６】
なお、上記実施の例では第一シート２と第二シート３と第三シート４とが順に連接された三つ折りシートをＺ折りすることで隠蔽情報所持体１が得られた例を示しているが、本発明の隠蔽情報所持体１では捲り上げる第三シート４に対して補強紙片１３が一体となるようにすればよいものであることから、本発明は上記例に限定されるものではなく、例えば、巻き折りすることで前記第三シート４と第二シート３および上下辺の補強紙片１３とが相対するように、一端側から第二シート３と第一シート２と第三シート４とが順に連接された三つ折りシートを用いてもよい。さらに、連続しない第一シート２と第二シート３と第三シート４とが重ね合わされたものであってもよく、この場合、第二シート３と第三シート４とが見開きできる連続状態となるように一辺側で強接着しておけばよい。
【０００７】
【発明の効果】
以上説明したように、本発明の隠蔽情報所持体によれば、第一シートと第二シートとの二枚のシートを剥離困難に貼り合わせてなるシート本体とこのシート本体の第二シートに剥離可能にして貼り合わされた第三シートとからなり、前記シート本体と第三シートとが一辺で連続して第二シートと第三シートとの間が見開き可能に設けられ、第二シートと第三シートとの重ね合わせ対向面に隠蔽情報が設けられている隠蔽情報所持体であって、上記第二シートにおいて見開き中心に交叉する二辺それぞれに切断部を介して補強紙片が連接され、該補強紙片が第一シートに対して剥離可能に貼り合わされているとともに第三シートに対して剥離困難に貼り合わされていることを特徴とするものであり、このように、捲り上げ操作する第三シートの上下辺に対して予め補強紙片が強接着されていることから、見開くときには、補強紙片それぞれがシート本体から離れて第三シートを補強するようになってこの第三シートにカールを生じさず、第三シートの重ね合わせ対向面が平坦なものとなって展開状態とした隠蔽情報所持体の取り扱いが容易になり、隠蔽情報も目視し易くなるなど、実用性に優れた効果を奏するものである。
【図面の簡単な説明】
【図１】本発明に係る隠蔽情報所持体の一例を示す説明図である。
【図２】図１ａ−ａ線に沿った断面を示す説明図である。
【図３】見開き状態を示す説明図である。
【図４】三つ折りシートの一例を示すもので、（イ）は一方の片面を示す説明図、（ロ）は他方の片面を示す説明図である。
【符号の説明】
１…隠蔽情報所持体
２…第一シート
３…第二シート
４…第三シート
５…折り部
６…三つ折りシート
７…シート本体
８…強接着手段
９…重ね合わせ対向面
１０…弱接着手段
１１…隠蔽情報
１２…切断部
１３…補強紙片
【図１】
0004216964.tif 000002
【図２】
0004216964.tif 000003
【図３】
0004216964.tif 000004
【図４】
0004216964.tif 000005